(57)【要約】【課題】時計ケース内に内蔵マイクを含む時計を提供すること。【解決手段】時計（１）は、時計ケース（２）に配置されたマイク（１６）と、ケースの上下側面にそれぞれ接続された２つの端部を備えたバンド（３）と、ケースの側壁（１２）に作られた少なくとも１つの貫通孔（７）とを有する。貫通孔は、第１の音波案内通路を規定し、前記マイクの方向でケース内に通じる。マイクは音声認識のために音波処理ユニット回路（１９）にケース内で接続される。さらに時計は、音波を前記第１通路の方に誘導するように、孔の各側に延長する領域（１３）に亘り、ケースの側壁の外面と直接接触するようになる開放した第２の音波案内通路を設けた可聴音案内部材（６）を含む。この可聴音案内部材はバンドの端部に作ってもよい。このように、前記孔に近い前記領域のくぼみ、端部または表面の反響からのいかなる干渉も、除去または減衰させることができる。【選択図】図３
2010112951.tif 000002
【特許請求の範囲】
【請求項１】
音波処理ユニット回路（１９）に接続され、時計ケース（２）内に配置された、少なくとも１つのマイク（１６）と、前記ケースの上下側面にそれぞれ接続された２つの端部を有するバンド（３）と、第１の音波案内通路を規定するために前記ケースの側壁（１２）に作られ、前記マイクによって音波を受信するために前記マイクの方向で前記ケース内に通じている、少なくとも１つの貫通孔（７）とを含む時計（１）であって、  開放した第２の音波案内通路（６）を設けた可聴音案内部材を含み、前記可聴音案内部材が、前記バンド（３）の前記端部の一方に作られ、前記孔に近い前記領域のくぼみ、端部または表面の反響によるあらゆる干渉を除去または減衰させるように、前記音波を前記第１通路の方に誘導するために、前記孔のいずれかの側に延長する領域（１３）に亘り前記ケースの前記側壁の外面と直接接触するようにした
ことを特徴とする時計。
【請求項２】
前記第２の音波案内通路（６）を備えた前記可聴音案内部材が、前記貫通孔（７）を含む前記ケースの前記側壁の外面と直接接触する固定位置に保持される前記バンド（３）の前記端部の一方に作られ、前記第２の音波案内通路が、前記孔に近い前記領域のくぼみ、端部または表面の反響によるいかなる干渉も除去または減衰させるために、前記音波を前記第１の音波案内通路に誘導すること
を特徴とする、請求項１に記載の時計。
【請求項３】
前記可聴音案内部材が前記ケースの前記側壁（１２）の一部であることを特徴とする、請求項１に記載の時計。
【請求項４】
前記第２の音波案内通路（６）が、円錐形状部分を有し、その軸が前記マイクの中央受信領域の方向に配置されていることを特徴とする、請求項１から３のいずれか一項に記載の時計。
【請求項５】
前記第２の音波案内通路と前記側壁（１２）の外面との接触線がＵ字型であり、Ｕ字の基部が、音波を受信するための前記貫通孔（７）に関し、または前記側壁に作られた一群の貫通孔に関して、中央に位置した円の弧を規定することを特徴とする、請求項１から４のいずれか一項に記載の時計。
【請求項６】
前記第２の音波案内通路が、円錐形部分を含み、時計ガラスの側に開放し、アナログ時刻表示の６時の表示位置で前記バンドの前記端部の一方に配置されることを特徴とする、請求項２に記載の時計。
【請求項７】
前記ケースの前記側壁（１２）が複数の貫通孔（７）を有し、それら貫通孔が前記第２の案内通路（６）に誘導された音波の受信領域でまとめられることを特徴とする、請求項１に記載の時計。
【請求項８】
前記第２の音波案内通路（６）を含む、弾性素材で製造された前記バンド（３）の前記端部の少なくとも１つが、前記ケースの前記側壁（１２）の２つのホーン（１１）の間の固定位置で前記側壁の外面に対して圧縮されることを特徴とする、請求項２に記載の時計。
【請求項９】
前記音波処理ユニット回路（１９）が個人化した情報つまり記憶素子に記憶した指示で音声認識を実施し、前記第１の音波案内通路を形成する１つまたは複数の貫通孔（７）が、前記側壁のくぼみに耐水性方法で保護した前記側壁（１２）用カバーの形状の板材（９）で製造されることを特徴とする、請求項１に記載の時計。
【請求項１０】
封止膜（２０）が前記マイク（１６）と前記板材（９）の（１つまたは複数の）貫通孔（７）の間に配置されることを特徴とする、請求項９に記載の時計。
【発明の詳細な説明】
【技術分野】
【０００１】
本発明は、時計ケース内に内蔵マイクを有する時計に関する。
【背景技術】
【０００２】
この時計は、リスト・バンドすなわちブレスレットを有し、そのバンドは時計ケースの上下側面それぞれに結合される２つの端部を含み、さらに、時計は、第１の音波案内通路を構成するようにケースの側壁に作られた少なくとも１つの貫通孔とを含む。貫通孔は、前記内蔵マイクによって音波の受信をするために、マイクの方向へとケース内に通じている。例えば、ケース内に配置された音波処理ユニット回路が、マイクに接続されて音声認識に使用される。
【０００３】
時計ケース内に配置されたマイクは、時計のユーザの声を認識するために使用できる。したがって、このマイクは、ユーザの手首に着用した時計の位置にかかわらず、複製可能な音声記録を実施することができなければならない。さらに、マイクによって記録する音声は、バンドがきついか緩いかという、着用時の時計とユーザの皮膚の間の距離に依存してはならない。さらに、時計のユーザの環境における障害物、すなわち家具、壁、またはその他の物体により起こり得る影響は、可能な限り最小限に抑えなければならない。
【０００４】
時計による音声信号の獲得は、反響を生じる反響面によって影響を受けることもある。たとえば、これらの反響面は、テーブル、壁、時計のユーザ自身、または時計ケースの中心部の突起部分であることもある。たとえば、信号の獲得は、時計ケースと腕、またはケースのホーン（ラグとも称される）とバンドの間で反響を生成するくぼみによって影響を受けることもある。
【０００５】
別の特別な状況は、コンピュータに接続したベースに時計を置いた状態で、音声認識が実施されるときである。著しい反響がテーブル上で生成され、時計を手首に着用した状態での今後の認識のための参照用として記録される音声信号の特徴を変えてしまうことがある。そうすると認識割合が非常に劣ることになり、欠点となる。
【先行技術文献】
【特許文献】
【０００６】
【特許文献１】スイス特許第６４４２４６号
【特許文献２】国際出願ＷＯ２００４／０５４２１３号
【発明の概要】
【発明が解決しようとする課題】
【０００７】
したがって、本発明の目的は、可能な限り外部からの影響を最小限にしつつ、最善の音声認識のために、ケース内に内蔵マイクを含む時計を提供することにより、前述の欠点を克服することである。
【課題を解決するための手段】
【０００８】
したがって、本発明は、音波処理ユニット回路に接続され、時計ケース内に配置された、ケース内の内蔵マイクと、ケースの上下側面にそれぞれ接続された２つの端部を有するバンドと、第１の音波案内通路を構成するためにケースの側壁に作られ、前記マイクによって音波を受信するためにマイクに向けてケース内へと通じる、少なくとも１つの貫通孔とを含む時計であって、さらに、開放された第２の音波案内通路を設けた可聴音案内部材を含み、前記可聴音案内部材が、貫通孔の各側で延長する領域に亘りケースの側壁の外面と直接接触し、貫通孔に近い前記領域のくぼみ、エッジまたは表面の反響に由来する干渉を除去または減衰させるようにして、音波を前記第１の音波案内通路の方へと誘導するよう構成された、時計に関する。
【０００９】
この時計の特定の実施形態は従属請求項２から１０に記載される。
【発明の効果】
【００１０】
本発明による時計の１つの長所は、可聴音案内部材に作られた、開放された第２の音波案内通路が、音波を反響し干渉を生成するくぼみ、端部または表面による影響を受けずに、貫通孔と言う第１の音波案内通路の方向に音波を誘導するという事実にある。これを行うために、可聴音案内部材は、貫通孔の各側で延長する領域上で、ケースの側壁の外面と直接接触することになる。たとえば、このことで、マイクに接続されて、ケースに統合された音波処理ユニット回路に、高品質の音声認識を実施させることが可能になる。
【００１１】
可聴音案内部材は、有利には、ケースに接続されたバンドの端部であってもよい。バンドのこの端部は、ケースの側壁の２つのホーン（ラグ）の間の側壁の外面に対して圧縮される弾性素材で作られていてもよい。
【００１２】
ケース内のマイクを含む時計の目的、長所および特徴は、図面に例示された少なくとも１つの非限定的な実施形態に基づいてなされた以下の記述に、より明白に記載される。
【図面の簡単な説明】
【００１３】
【図１】本発明による時計の部分的な平面図である。
【図２】音声をマイクへと導く貫通孔を示す、本発明による時計の部分的な側面図である。
【図３】本発明による時計の縦方向の直径に沿って切断した断面図である。
【発明を実施するための形態】
【００１４】
以下の記述では、この技術分野の当業者に周知である、腕時計タイプの時計を慣例通りに構築する要素については、単に単純化した方法で述べる。
【００１５】
本発明による時計１は、部分的な平面図である図１、部分的な側面図である図２、および部分的で腕時計の６時−１２時の方向の直径に沿って切断した断面図である図３に示される。
【００１６】
時計１は、腕時計型であり、皮革・合成樹脂製または金属製のバンド３を有し、そのバンド３は、ケース２の側壁１２の２つのホーン（ラグ）１１の間で、ケースの上下側面にそれぞれ接続される。時計は本質的に、音波処理ユニット回路１９に接続されている少なくとも１つのマイク１６を含む。マイク１６とプリント基板１４に配置された処理ユニット回路１９とは、ケース２内に配置される。好ましくは、マイクは、ケース２の中央部分の一部、すなわちケースの側壁１２に配置される。
【００１７】
時計１は、従来の方法におけるように、ケース２の側壁１２の片側の１つまたは複数の制御ボタン８と、さまざまな透明電極を設けた触覚ガラス１０と、モータ手段１８により駆動される文字板５上の時刻指示針１５と、さまざまな情報を表示するためのＬＣＤ液晶表示デバイス４と、電池またはケースの底のバッテリすなわち蓄電池１７とを含んでもよい。プリント基板１４は、モータ手段を駆動するための時間基準回路を含む、さまざまな従来の時計機能を実施するための、記載されていないその他いくつかの電子部品を含んでもよい。
【００１８】
１つまたは複数の貫通孔７は、ケースの側壁１２に作られる。１つまたは一群の孔７は、第１の音波案内通路を規定し、前記マイク１６による音波の受信のためにマイク１６の方向でケース２内に通じる。好ましくは、（１つまたは複数の）円形の貫通孔７は、側壁１２にカバー９の形状の板材で作られ、側壁のくぼみに耐水性方法で固定される。貫通孔の数は、たとえば４つである。環境上の制約からマイクを保護するために、封止膜２０は、マイクと板材９の貫通孔７の間に配置されてもよい。
【００１９】
時計１は、主に、ケースの側壁１２の一部分を成す、または、好ましくはバンド３の端部の一方でもよい、可聴音案内部材を含む。この可聴音案内部材には、第２の音波案内通路６が設けられる。（１つまたは複数の）貫通孔７のいずれかの側で延長する領域１３に亘り、前記可聴音案内部材は、音波を前記第１の音波案内通路へと誘導するようにケースの側壁１２の外面と直接接触する。このように、くぼみ、端部または表面の反響によるいかなる干渉も、（１つまたは複数の）孔に近い前記領域１３で除去または減衰される。
【００２０】
もしも音波が音声であれば、マイク１６に接続されている処理ユニット回路１９によって、よりよい音声認識を実施することができる。処理ユニット回路は、個人の情報つまり記憶された指示を含む記憶素子に直接接続することができる。時計のユーザによって話され、処理ユニット回路によって認識された１つまたは複数の音声指示は、腕時計内のさまざまな操作または機能を実施することができる。超小型演算装置と結合したこの種の処理ユニット回路のより具体的な特徴は、スイス特許第６４４２４６号に定義されており、参照することにより本書に組み込まれる。
【００２１】
時計１のバンド３の少なくとも端部は、弾性素材で製造される。これにより、バンドの各端部は、側壁１２の２つのホーン１１の間の、側壁１２の上下側面に取り付けることができる。バンドの各端部は、側壁１２の外面に対して圧縮されて、２つのホーン１１の間で回転しない固定位置に保持される。バンド３の端部のうちの１つは、可聴音案内部材として使用することができ、したがって、（１つまたは複数の）貫通孔７のいずれかの側で延長する領域１３に亘り直接接触することになる。この領域１３は、さらにホーン１１の内側部分まで延長する。
【００２２】
可聴音案内部材として使用されるバンドの端部は、開放した第２の音波案内通路６を含む。この第２の音波案内は円錐形状部分を含み、その軸は、好ましくはマイク１６の中央受信領域の方向に配置される。第２の音波案内通路と側壁１２の外面との接触線はＵ字型であり、Ｕ字の基部は、音波を受信するための貫通孔に関し、または側壁に作られた一群の貫通孔７に関して中央に位置した円の弧を規定する。
【００２３】
円錐形部分を有し、バンドの端部に作られた第２の音波案内通路は、時計ガラス１０の側、すなわち時計のユーザに見えるバンドの側で開放している。したがって、この第２の音波案内通路は、アナログ時刻表示の６時の表示位置に配置される。第２の音波案内通路の開放溝の各側の可聴音案内部材の上表面部は、２つのホーン１１の上表面部の延長上にある。これは、さらにくぼみまたは端部からの干渉を防ぎ、第１の音波案内通路を介して良好な音波受信を保証する。
【００２４】
マイク１６のすぐまわりの環境からの最小の影響を保証するために、上記の通り、後者はユーザの方向に、好ましくは６時の位置に設置される。マイクはバンドによって保護され、その１端部は可聴音案内部材を形成する。この可聴音案内部材は、ユーザの腕およびその他の干渉源からのいかなる干渉も遮断するために第２音響ホーン通路を含む。したがって、可聴音案内部材で形成された第２の音波案内通路は、時計のマイク１６とユーザの口の間の円錐形空間Ｃに好都合である。しかし、これは、この音場での周囲の音すべてに対する障壁を形成しないが、（１つまたは複数の）貫通孔７に近い障害物の反響によるいかなる干渉も防ぐことができることを承知されたい。
【００２５】
さらに、時計の位置をユーザによる音声（エネルギの送られる）軸に合わせるために、情報が腕時計１のＬＣＤ表示デバイス４に表示される。それで、表示デバイス４上の文言を読むことにより、ユーザは時計をマイク１６の方向に一線に揃えることができる。
【００２６】
時計１がテーブルに載っている基部（図示せず）に設置されている場合には、基部は、反響を減少させるために持ち上げられる（テーブルからの距離を増加させる）べきである。さらに、基部は、マイク１６とユーザの口の間の主な音響経路上の障害をできる限り少なくするように製造される。
【００２７】
マイク１６および音声認識用の音波処理ユニット回路１９に加えて、時計１は、透明電極が別の電極信号処理回路（図示せず）に接続されている触覚ガラス１０を含んでもよい。この場合、時計の操作すなわち機能は、音声による指示、または触覚ガラスの少なくとも１つの電極に置かれた指により起動された指示により実施することができる。２つの制御手段の組合せに関するより具体的な特徴は、国際出願ＷＯ２００４／０５４２１３号に開示されており、参照することにより本書に組み込まれる。
【００２８】
ここまで述べてきた説明から、当業者は、特許請求の範囲によって定義される本発明の範囲から逸脱することなく、ケース内に配置されたマイクを備えた時計のいくつかの変形を考案することができる。複数のマイクを備えることができ、たとえば、２つのマイクを直径に沿って６時と１２時の対面した位置の中央部に設置することができる。２つのマイクに、それぞれがバンドの端部のうちの１つに作られた、２つの可聴音案内部材が設置されてもよい。バンドの端部はプラスチックまたは別の素材、たとえば、金属または絶縁素材で作られていてもよい。
【符号の説明】
【００２９】
１  時計；  ２  ケース；  ３  バンド；  ４  ＬＣＤ液晶表示デバイス；  
５  文字板；  ６  第２の音波案内通路；  ７  貫通孔；  ８  制御ボタン；  
９  板材；  １０  触覚ガラス；  １１  ホーン（ラグ）；  １２  ケースの側壁；  
１３  領域；  １４  プリント基板；  １５  時刻指示針；１６  マイク；  
１７  蓄電池；  １８  モータ手段；  １９  音波処理ユニット回路；  ２０  封止膜。
【図１】
2010112951.tif 000003
【図２】
2010112951.tif 000004
【図３】
2010112951.tif 000005